(57)【要約】【課題】  杭を回転圧入する低振動・低騒音の打ち込みにおいて、作業空間の高さが制限されている場所で杭の打ち込みを可能にする。【解決手段】  杭を把持して回転圧入する中空オーガ６をリーダ４の下方定位置で横向きに回転させ、同横向きの中空オーガ６に杭Ｋを横方向に挿通させて把持し、同杭Ｋを把持した中空オーガ６をリーダ４に沿って所定高さまで上昇させ、同中空オーガ６を元の方向に回転させて把持した杭Ｋを垂直に起立させ、同垂直の杭Ｋを中空オーガ６で地盤Ｇに回転圧入して打ち込む。【選択図】図１
2005264647.tif 000002
【特許請求の範囲】
【請求項１】
垂直のリーダに昇降自在且つ定位置で横向きに回転可能に取り付けた中空オーガで杭を把持して地盤へ回転圧入する杭の打ち込み方法であって、中空オーガをリーダの下方定位置で横向きに回転させ、同横向きの中空オーガに杭を横方向に挿通させて把持し、同杭を把持した中空オーガをリーダに沿って所定高さまで上昇させ、同中空オーガを元の方向に回転させて把持した杭を垂直に起立させ、同垂直の杭を中空オーガで地盤に回転圧入して打ち込むことを特徴とする杭の打ち込み方法。
【請求項２】
中空オーガの側部に滑車を取り付け、ワイヤーをリーダの上端部から前記滑車を介して杭の所定位置に渡って掛架し、同ワイヤーを上方へ引張することで杭を中空オーガへ牽引して挿通するようにした請求項１記載の杭の打ち込み方法。
【請求項３】
垂直のリーダに杭を把持して地盤へ回転圧入する中空オーガを昇降自在且つ定位置で横向きに回転可能に取り付けた杭の打ち込み装置。
【請求項４】
中空オーガの側部に滑車を取り付け、ワイヤーをリーダの上端部から前記滑車を介して杭の所定位置に渡って掛架後、同ワイヤーを上方へ引張することで杭を中空オーガへ牽引して挿通できるようにした請求項３記載の杭の打ち込み装置。
【発明の詳細な説明】
【技術分野】
【０００１】
本発明は、回転圧入による杭の打ち込み方法及びそれに用いる打ち込み装置に関し、詳しくは作業空間の高さが制限されている場所で杭の打ち込みを可能にする技術に関する。
【背景技術】
【０００２】
従来、杭の打ち込み装置は、施工機本体の前方にリーダを垂直に立設し、同リーダに杭を把持して回転圧入する中空オーガを昇降自在に設けた構造が一般的である。この装置を用い、杭をクレーン等で持ち上げて上方から中空オーガに挿通して把持し、同中空オーガで杭を回転させながらリーダに沿って下降して地盤へ圧入することで打設するのである。
【０００３】
ところで、前記のような装置では、杭を持ち上げて上方から中空オーガに装着するから、リーダの上方に少なくとも杭の長さに相当する空間が必要である。しかし、作業場所の上方に電線，高架橋，洞道等障害物がある場合は施工できないか、又は短い杭を継ぎ足して施工する必要があった。
【０００４】
そこで、高さを制限された作業空間における杭の打ち込み及び引き抜き工法が特許文献１に開示されている。この技術は、起振機を備え且つ杭を横掴み可能な杭チャックをリーダに沿って昇降自在に設け、作業空間において杭を垂直に起立した状態で横方向へ搬送して杭チャックで把持し、起振機で加振しながら杭チャックをリーダに沿って下降して杭を地盤へ貫入させるものである。
【０００５】
しかしながら、前記技術は杭を加振しながら貫入するから振動・騒音が発生し、杭チャックの構造上低振動・低騒音の回転圧入する工法に応用できない技術であった。
【特許文献１】特開平９−２６８５５８号公報
【発明の開示】
【発明が解決しようとする課題】
【０００６】
本発明が解決しようとする課題は、従来のこれらの問題点を解消し、杭を回転圧入する低振動・低騒音の打ち込みにおいて、作業空間の高さが制限されている場所で杭の打ち込みを可能にする杭の打ち込み方法及びそれに用いる打ち込み装置を提供することにある。
【課題を解決するための手段】
【０００７】
かかる課題を解決した本発明の構成は、
１）  垂直のリーダに昇降自在且つ定位置で横向きに回転可能に取り付けた中空オーガで杭を把持して地盤へ回転圧入する杭の打ち込み方法であって、中空オーガをリーダの下方定位置で横向きに回転させ、同横向きの中空オーガに杭を横方向に挿通させて把持し、同杭を把持した中空オーガをリーダに沿って所定高さまで上昇させ、同中空オーガを元の方向に回転させて把持した杭を垂直に起立させ、同垂直の杭を中空オーガで地盤に回転圧入して打ち込むことを特徴とする杭の打ち込み方法
２）  中空オーガの側部に滑車を取り付け、ワイヤーをリーダの上端部から前記滑車を介して杭の所定位置に渡って掛架し、同ワイヤーを上方へ引張することで杭を中空オーガへ牽引して挿通するようにした前記１）記載の杭の打ち込み方法
３）  垂直のリーダに杭を把持して地盤へ回転圧入する中空オーガを昇降自在且つ定位置で横向きに回転可能に取り付けた杭の打ち込み装置
４）  中空オーガの側部に滑車を取り付け、ワイヤーをリーダの上端部から前記滑車を介して杭の所定位置に渡って掛架後、同ワイヤーを上方へ引張することで杭を中空オーガへ牽引して挿通できるようにした前記３）記載の杭の打ち込み装置
にある。
【発明の効果】
【０００８】
本発明によれば、杭を横向きにした状態で中空オーガへ挿通して把持するから、上方に障害物を有していても作業空間に少なくとも杭の長さに相当する高さがあれば障害物と干渉することなく杭の把持及び回転圧入が可能になる。
【発明を実施するための最良の形態】
【０００９】
本発明に用いる杭は、下端にスクリュー状のフランジを備えた回転圧入を円滑に行えるものが用いられる。このフランジにビットを複数突設して硬質な地盤に打設できるようにしてもよい。また、中空オーガの側部に滑車を取り付け、ワイヤーをリーダの上端部から前記滑車を介して杭の所定位置に渡って掛架すると、ワイヤーを上方に引張することで杭を中空オーガへ牽引しながら挿通でき、作業が楽で迅速に行える。以下、本発明の実施例を図面に基づいて具体的に説明する。
【実施例１】
【００１０】
図１は実施例の打ち込み装置の正面図、図２は実施例の中空オーガの回転駆動部の説明図、図３は実施例の回転駆動部の一部切欠側面図、図４は実施例の回転駆動部の一部切欠正面図、図５〜８は実施例の杭の打ち込みの工程を示す説明図である。
【００１１】
本実施例の打ち込み装置１は、図１，２に示すようにクローラ３で自走可能な施工機本体２の前方にラック４ａが形成されたリーダ４を垂直に取り付け、同リーダ４に前記ラック４ａと歯合して昇降するスライダ５を取り付け、同スライダ５に滑車８を側部に備えた中空オーガ６を回転部７で横向きに回転可能に取り付けている。
【００１２】
回転部７は、図３，４に示すように内周面に内歯７ｄを備えた環状体７ａとピニオン７ｅ付きのモータ７ｆを備えた環状体７ｂをベアリング７ｃを介して嵌合するとともに内歯７ｄとピニオン７ｅを歯合し、モータ７ｆの作動により環状体７ａを回動させることで中空オーガ６が横向きに回転できるようにしている。
【００１３】
２ａはキャビン、２ｂはアウトリガ、８ａはワイヤー、９はバンド、Ｃはクレーン、Ｇは地盤、Ｋは杭である。
【００１４】
本実施例では、図５（ａ）に示すようにまず中空オーガ６をスライダ５でおよそ最下位置までリーダ４に沿って下降させ、図５（ｂ）に示すように回転部７により中空オーガ６を定位置で横向きに回転させる。
【００１５】
次に、図６（ａ）に示すようにクレーンＣで杭Ｋを横向きに吊下して打ち込み装置１の近接位置に運搬し、図６（ｂ）に示すように杭Ｋの略中央部にバンド９を装着し、同バンド９から滑車８を介してリーダ４の上端部に渡ってワイヤー８ａを掛架し、杭Ｋの後端を中空オーガ６に向ける。
【００１６】
次に、図７（ａ）に示すように引張手段（図示せず）でワイヤー８ａを上方へ引張して杭Ｋを牽引しながら中空オーガ６に挿通させた後、杭Ｋがおよそ半分まで挿通した時点で中空オーガ６により圧着把持し、図７（ｂ）に示すようにワイヤー８ａ及びバンド９を取り外した後、スライダ５を上昇させて中空オーガ６で把持した杭Ｋをリーダ４の略中間高さまで持ち上げる。
【００１７】
その後、図８（ａ）に示すように回転部７で中空オーガ６を元の方向に回転させて杭Ｋを垂直に起立させ、図８（ｂ）に示すように中空オーガ６で把持した杭Ｋを回転させてスライダ５をリーダ４に沿って一定速度で下降させながら地盤Ｇに回転圧入することで杭Ｋが打設される。
【００１８】
本実施例はこのように構成したから、杭Ｋを横向きにした状態で中空オーガ６へ挿通して把持したから、上方に障害物を有していても作業空間に少なくともリーダ４及び杭Ｋの長さに相当する高さがあれば障害物と干渉することなく杭Ｋの打ち込みが可能となった。
【産業上の利用可能性】
【００１９】
本発明の杭の打ち込み方法及びそれに用いる打ち込み装置は、作業場所の上方に電線，高架橋，洞道等の障害物がある場合に有用である。
【図面の簡単な説明】
【００２０】
【図１】実施例の打ち込み装置の正面図である。
【図２】実施例の中空オーガの回転駆動部の説明図である。
【図３】実施例の回転駆動部の一部切欠側面図である。
【図４】実施例の回転駆動部の一部切欠正面図である。
【図５】実施例の杭の打ち込みの工程を示す説明図である。
【図６】実施例の杭の打ち込みの工程を示す説明図である。
【図７】実施例の杭の打ち込みの工程を示す説明図である。
【図８】実施例の杭の打ち込みの工程を示す説明図である。
【符号の説明】
【００２１】
１  打ち込み装置
２  施工機本体
２ａ  キャビン
２ｂ  アウトリガ
３  クローラ
４  リーダ
４ａ  ラック
５  スライダ
６  中空オーガ
７  回転部
７ａ，７ｂ  環状体
７ｃ  ベアリング
７ｄ  内歯
７ｅ  ピニオン
７ｆ  モータ
８  滑車
８ａ  ワイヤー
９  バンド
Ｃ  クレーン
Ｇ  地盤
Ｋ  杭
【図１】
2005264647.tif 000003
【図２】
2005264647.tif 000004
【図３】
2005264647.tif 000005
【図４】
2005264647.tif 000006
【図５】
2005264647.tif 000007
【図６】
2005264647.tif 000008
【図７】
2005264647.tif 000009
【図８】
2005264647.tif 000010